(57)【特許請求の範囲】
【請求項１】
靴ホルダー（Ｂ）と靴ホルダー受具（Ｅ）とから成り、前記靴ホルダー（Ｂ）は、靴（Ａ）を固定するバンド（１）を有し、両側面（Ｃ）に側板（３）が設けられ、各側板（３）はそれぞれ突起（２）を有し、前記靴ホルダー受具（Ｅ）は２個のＬ字状側板（４）と２個の爪とを有し、各Ｌ字状側板（４）はそれぞれ溝（Ｄ）を有して向かい合っており、前記靴ホルダー受具（Ｅ）は各Ｌ字状側板（４）が前記靴ホルダー（Ｂ）の両方の前記側板（３）を挟み、各突起（２）が着脱自在に各溝（Ｄ）に納まって各爪で固定され、靴（Ａ）のスノーボードに対しての水平な動きを側面（Ｃ）からＬ字状側板（４）で受け止めるよう構成されていることを特徴とするスノーボード用靴固定器。
【請求項２】
各爪を段階的に作動させるよう各爪をそれぞれ制する補助爪（７）が設けられていることを特徴とする請求項１記載のスノーボード用靴固定器。
【請求項３】
各補助爪をそれぞれ制するカム（９）が設けられ、各カム（９）を連結するシャフト（１０）と、各カム（９）を操作するレバー（１１）とを有することを特徴とする請求項２記載のスノーボード用靴固定器。
【請求項４】
靴（Ａ）のスノーボード（Ｆ）に対しての上下方向の動きを突起（２）からＬ字状側板（４）の２個の爪及び補助爪（７）で受け止めることを特徴とする請求項２記載のスノーボード用靴固定器。
【発明の詳細な説明】
【０００１】
【産業上の利用分野】
本発明はスノ−ボ−ドＦに靴Ａを着脱自在に固定するためのものである。
【０００２】
【従来の技術】
従来、スノ−ボ−ドに乗る場合、靴ホルダ−をスノ−ボ−ドにネジで取り付けその靴ホルダ−に靴をバンドで固定する方法が一般的であるが分厚い手袋をしてバンドを操作することは非常に大変なことであった。そこでスキ−と同じ様に簡単に靴を着脱出来る方法が待たれていた。そのため靴底に金具を取り付けそれに締め具を組み合わせた物や、靴ホルダ−底面に金具を取り付け、取り外し自由にした器具も見受けられたがそれらは靴底部で固定金具と組み合わせるため、実際に使用した場合靴底に付着した雪のため使用することが著しく困難になる欠点があった。
【０００３】
【発明が解決しようとする課題】
スノ−ボ−ドに乗り靴を固定する場合、バンドを手袋をはめた手で操作しなければならず非常に不便なことであった。平な場所を移動する場合やリフトに乗る場合などその操作をしなければならない場面が多く大変不便なことであった。
【０００４】
【課題を解決するための手段】
上記目的を達成するために、請求項１の本発明に係るスノーボード用靴固定器は、靴ホルダー（Ｂ）と靴ホルダー受具（Ｅ）とから成り、前記靴ホルダー（Ｂ）は、靴（Ａ）を固定するバンド（１）を有し、両側面（Ｃ）に側板（３）が設けられ、各側板（３）はそれぞれ突起（２）を有し、前記靴ホルダー受具（Ｅ）は２個のＬ字状側板（４）と２個の爪とを有し、各Ｌ字状側板（４）はそれぞれ溝（Ｄ）を有して向かい合っており、前記靴ホルダー受具（Ｅ）は各Ｌ字状側板（４）が前記靴ホルダー（Ｂ）の両方の前記側板（３）を挟み、各突起（２）が着脱自在に各溝（Ｄ）に納まって各爪で固定され、靴（Ａ）のスノーボードに対しての水平な動きを側面（Ｃ）からＬ字状側板（４）で受け止めるよう構成されていることを特徴とする。請求項２の本発明に係るスノーボード用靴固定器は、請求項１のスノーボード用靴固定器において、各爪を段階的に作動させるよう各爪をそれぞれ制する補助爪（７）が設けられていることを特徴とする。請求項３の本発明に係るスノーボード用靴固定器は、請求項２のスノーボード用靴固定器において、各補助爪をそれぞれ制するカム（９）が設けられ、各カム（９）を連結するシャフト（１０）と、各カム（９）を操作するレバー（１１）とを有することを特徴とする。請求項４の本発明に係るスノーボード用靴固定器は、請求項２のスノーボード用靴固定器において、靴（Ａ）のスノーボード（Ｆ）に対しての上下方向の動きを突起（２）からＬ字状側板（４）の２個の爪及び補助爪（７）で受け止めることを特徴とする。
【０００５】
【作用】
靴Ａに取り付けた靴ホルダーＢに突起２のある側板３を設けそれらを靴ホルダー受具Ｅに受けさせ着脱自在にするが、靴ＡにかかるスノーボードＦに対しての左右回転方向の力はＬ字状側板４と側板３との接触面又は接触線で受け、前後上下方向の力は突起２とＬ字状側板４に組み合わされた爪５等の機構によって受け止められる。靴ホルダーＢと靴Ａは従来方法と同じにバンド１で取り付け取り外しされるが、靴ホルダーＢと靴ホルダー受具Ｅはワンタッチでの着脱が可能となり、側面で受け止めるため靴底に付着した雪が邪魔になることが無くなった。靴Ａの靴底１２に側板３を一体形成した場合は直接靴が着脱される形になる。そのためリフトに乗り降りする場合など短距離の水平移動のために片足を外す場合などはるかに便利となった。
【０００６】
【実施例】
実施例について図面を参照して説明する。スノーボード用靴固定器は、バンド１で靴Ａを固定する靴ホルダーＢの両側面Ｃに突起２を設けた側板３を設け、次にＬ字状側板４に溝Ｄを設けかつ爪５を組み合わせ、これを２個向かい合わせて靴ホルダーＢの両方の側板３を面又は線で挟み、突起２が溝Ｄに納まり、かつ爪５で固定されるように靴ホルダー受具基板８に構成されたところの靴ホルダー受具Ｅとより成る。先ず、靴ホルダーＢの側面Ｃに図２、図３に示されるところの突起２を有する側板３を固定する。靴ホルダーＢがプラスチックやアルミ合金などでできている場合、側板３はステンレスなど比較的硬い金属で作られビスやリベットなどで取り付けられるし、靴ホルダーＢが硬い金属の場合、側板３は靴ホルダーＢの側面Ｃと一体に構成されても良く、その場合は突起４は直接靴ホルダーＢに構成される。次に突起２が納まる可く溝Ｄを切ったＬ字状側板４に突起２にかみ合う爪５とスプリング１３を組み合わせ、これを２個向かい合わせて靴ホルダー受具基板８に取り付け、靴ホルダー受具Ｅを構成させる。側板３とＬ字状側板４は面又は線で接し突起２は溝Ｄに納まり爪５は突起２にかみ合う。
【０００７】
Ｌ字状側板４と靴ホルダ−受具基板８は溶接されても、ビス止めされても良く初めから同一材の左右を折り曲げても良いことは当然である。
爪５は靴ホルダ−Ｂを装着する場合はスプリング１３と爪上部の形状とで自動的に開く方向に動き、装着後は突起２が上に上がるのを確実に押えることができる。爪５にはレバ−１１がしかるべく構成され、レバ−１１の操作により爪５が突起２を開放する。この爪５の機構については自動車のドアなどにも利用されている公知の技術であり多くの方法、及形状があるがどれを利用してもよいことは当然のことであり本発明の本質に関わることではない。
【０００８】
請求項２を図７において説明すると、スノーボード用靴固定器は、爪５の代わりに爪６と、爪６の動作を段階的に制する補助爪７を設けてある。爪６の動きを制する補助爪７は爪６の作動をより確実にすると同時に、補助爪７の摺動面に段階を設けることにより爪６を段階的に作動させることができ、自動車のドアの半ドア状態と同様の安全性を得ることが可能になる。補助爪７にはレバー１１が取り付けられ、このレバー１の操作により作動させられるが、レバーの形状はこの他多くの形に変えることができる。
【０００９】
請求項３を図６及９に置いて説明する。補助爪７を制するカム９と、左右のカム９を連動するシャフト１０は、レバ−１１の操作により回転し、最終的に爪７の働きを制御することが可能となる。本発明による各爪の形状及組み合わせにより左右の爪６をロックした状態から片手で解除することが可能となり、また左右の爪６が同時にロックした状態にならないかぎりレバ−１１は回転せず、安全の確認機能も付加された。
【００１０】
請求項４の靴Ａは、靴底１２の土踏まずの部分を、側板３を直接取り付けられる様に構成するか、または一体に成形したものであり、靴ホルダ−Ｂの機能をそのまま靴に一体に組み込んでしまうものである。
【００１１】
市販されている靴ホルダ−は、図１４のようにスノ−ボ−ドに固定するビス穴を有する底面Ｊとその側面Ｃ、前後２本のベルト１、及後方押えＨより構成されているが、本発明による靴ホルダ−Ｂは底面にビス穴は不要であり、市販品とは異質のものであるが、敢えて同じ単語を使用するのは、発明の説明を分かり易くするためと、市販品をそのまま本発明の靴ホルダ−Ｂとして使用することが可能なためである。
【００１２】
本発明による靴ホルダ−Ｂは側面Ａ、底面Ｊ、バンド１より構成され、靴Ａのスノ−ボ−ドＦに対しての水平な動きは側面ＣからＬ字状側板４で受止め、上下方向の動きは突起２からＬ字状側板４の爪５、６及補助爪７で受け止めることとなる。底面はそれらの力を側面を通して伝達するだけで良く市販のものより大幅に小さく出来る。又側面、底面を金属で一体に構成した場合、側板５と側面Ａは同一面となり側面Ａに直接突起４が設けられることも可能となる。
【００１３】
よって靴Ａの靴底１２に靴ホルダ−Ｂを一体に成形すると言うことは図１０、１１に示すごとく靴底１２に本発明による靴ホルダ−Ｂの突起２を直接構成することを意味し、バンド１は靴Ａの補強要素として靴底１２に取り付けられても無くてもよく、側板３と靴底１２は同一材でも異種の材質でも良い事となる。
【００１４】
請求項５を図８において説明する。スノーボード用靴固定器は、突起２が入る穴を、突起２が下向きに対してのみ自由に成る形状にＬ字状側板１４に設け、片側一方をＬ字状側板４としてある。Ｌ字状側板１４には、突起２が上部においては密接し下部に関して自由となる形状の穴Ｇを設ける。突起２は、下部から挿入され上部穴に納まることにより、前後及び上方に対して固定される。
【００１５】
Ｌ字状側板４とＬ字状側板１４とは左右一対にして靴ホルダ−受具Ｅを構成する。Ｌ字状側板４には爪及他の機構が組み合わされるが、Ｌ字状側板１４には他の部品は不要となる。本発明により靴Ａを側面で固定する機能を変えることなくより単純化する事が可能となった。
【００１６】
【発明の効果】
本発明は以上の通り着脱の機構を靴ホルダ−Ｂと靴ホルダ−受具Ｅの側面Ｃを基本にしているため、スノ−ボ−ドから外している間に靴Ａ又は靴ホルダ−Ｂの底に付着した雪が着装の邪魔になることがなくなり、大変簡単かつ確実に足の着脱をすることが可能になった。
【００１７】
請求項２および３のスノーボード用靴固定器においてはロック機構の操作性及び安全性が格段に向上したものである。
【図面の簡単な説明】
【図１】  側面図
【図２】  側面図
【図３】  断面図
【図４】  側面図
【図５】  断面図
【図６】  側面図
【図７】  側面図
【図８】  側面図
【図９】  側面図
【図１０】側面図
【図１１】側面図
【図１２】側面図
【図１３】側面図
【図１４】側面図
【符号の説明】
１    バンド
２    突起
３    側板
４    Ｌ字状側板
５    爪
６    爪
７    補助爪
８    靴ホルダ−受具基板
９    カム
１０  シャフト
１１  レバ−
１２  靴底
１３  スプリング
１４  Ｌ字状側板
Ａ    靴
Ｂ    靴ホルダ−
Ｃ    靴ホルダ−側面
Ｄ    溝
Ｅ    靴ホルダ−受具
Ｆ    スノ−ボ−ド
Ｇ    穴
Ｈ    後方押え
Ｉ    ゴム板
Ｊ    靴ホルダ−底面
【図１】
0003677751.tif 000002
【図２】
0003677751.tif 000003
【図３】
0003677751.tif 000004
【図４】
0003677751.tif 000005
【図５】
0003677751.tif 000006
【図６】
0003677751.tif 000007
【図７】
0003677751.tif 000008
【図８】
0003677751.tif 000009
【図９】
0003677751.tif 000010
【図１０】
0003677751.tif 000011
【図１１】
0003677751.tif 000012
【図１２】
0003677751.tif 000013
【図１３】
0003677751.tif 000014
【図１４】
0003677751.tif 000015